(57)【要約】【課題】  自動販売機本体の設置面積を増大させずに容易に固定することができる自動販売機設置を提供する。【解決手段】  自動販売機本体1の底面に設けられた複数の脚取付部17と、脚取付部17に取り付けられる複数の脚13とを備え、各脚13を自動販売機固定用の複数のコンクリートブロック16にぞれぞれ固定するようにした自動販売機において、各脚13を自動販売機本体1の前後方向の一端側及び他端側にそれぞれ幅方向に間隔をおいて３箇所以上ずつ設けた。【選択図】図１
2007026346.tif 000002
【特許請求の範囲】
【請求項１】
自動販売機本体の底面に設けられた複数の脚取付部と、脚取付部に取り付けられる複数の脚とを備え、各脚を自動販売機固定用の複数の固定部材にぞれぞれ固定するようにした自動販売機において、
前記各脚を自動販売機本体の前後方向の一端側及び他端側にそれぞれ幅方向に間隔をおいて３箇所以上ずつ設けた
ことを特徴とする自動販売機。
【請求項２】
前記脚取付部を脚の数よりも多く設けた
ことを特徴とする請求項１に記載の自動販売機。
【請求項３】
前記脚及び脚取付部を互いに螺合可能に形成した
ことを特徴とする請求項１又は２に記載の自動販売機。
【請求項４】
前記脚取付部に螺合された脚の高さ位置を変更可能に構成した
ことを特徴とする請求項３に記載の自動販売機。
【発明の詳細な説明】
【技術分野】
【０００１】
本発明は、例えばコンクリートブロック等の固定部材を自動販売機の脚に固定して転倒を防止する自動販売機に関するものである。
【背景技術】
【０００２】
従来、この種の自動販売機においては、自動販売機を設置するため自動販売機の底面の四隅に設けられた脚をコンクリートブロックに固定し、コンクリートブロックの重量等によって自動販売機の転倒を防止していた。
【０００３】
この場合、おもりとしてコンクリートブロックの重量や安定性を増加させるために、自動販売機本体よりもコンクリートブロックの奥行き、幅をはみ出させる必要があり、自動販売機の設置面積が大きくなるという問題があった。
【０００４】
この問題を解決するため、自動販売機の脚に固定されたコンクリートブロックを新たに追加した他のコンクリートブロックと連結板やパイプによって結合することにより、自動販売機本体からはみ出さずにコンクリートブロックの重量や安定性を増加するようにしたものや、自動販売機の脚をアンカーボルトによって設置場所に固定するようにしたものが知られている（例えば特許文献１参照。）。
【特許文献１】実開平６−７５０８３号公報
【発明の開示】
【発明が解決しようとする課題】
【０００５】
しかしながら、自動販売機の脚に固定されたコンクリートブロックを結合部材によって他のコンクリートブロックと結合するようにしたものでは、地震等によって自動販売機に加わった力が結合部で分散され他のコンクリートブロックに伝わりにくいため、他のコンクリートブロックがおもりとしての機能を十分に果たしていなかった。
【０００６】
また、自動販売機の脚に固定されたコンクリートブロックをパイプによって他のコンクリートブロックと結合するようにしたものや、アンカーボルトによって設置場所に固定するようにしたものでは、コンクリートブロックごとにパイプを通すための孔を穿設する必要があったり、アンカーボルトによって設置場所に固定する固定作業が必要であるため、自動販売機本体を容易に固定することはできなかった。
【０００７】
本発明は前記問題点に鑑みてなされたものであり、その目的とするところは、自動販売機本体を設置面積を増大させずに容易に固定することができる自動販売機を提供することにある。
【課題を解決するための手段】
【０００８】
本発明は前記目的を達成するために、自動販売機本体の底面に設けられた複数の脚取付部と、脚取付部に取り付けられる複数の脚とを備え、各脚を自動販売機固定用の複数の固定部材にぞれぞれ固定するようにした自動販売機において、前記各脚を自動販売機本体の前後方向の一端側及び他端側にそれぞれ幅方向に間隔をおいて３箇所以上ずつ設けた自動販売機を提案する。
【０００９】
本発明によれば、例えば固定部材を自動販売機本体の幅方向に３つ以上用いた場合でも、各固定部材の全てに各脚をそれぞれ固定することが可能となることから、例えば地震等によって自動販売機本体に加わった力が各脚取付部及び脚を介して全ての固定部材にそれぞれ直接伝わる。
【発明の効果】
【００１０】
本発明によれば、例えば地震等によって自動販売機本体に加わった力が各脚取付部及び脚を介して全ての固定部材にそれぞれ直接伝えることができるので、全ての固定部材がそれぞれおもりとしての機能を十分に果たすことができる。これにより、自動販売機本体からはみ出さずに固定部材の重量や安定性を増加させることができるので、自動販売機本体の設置面積を増大させることがなく、自動販売機を前後左右に並べて設置する場合に極めて有利である。
【００１１】
また、自動販売機本体の底面に設けられた脚取付部に自動販売機本体の前後方向の一端側及び他端側にそれぞれ幅方向に間隔をおいて３箇所以上ずつ脚を取り付け、各脚を複数の固定部材にそれぞれ固定するようにしたので、例えば固定部材を自動販売機本体の幅方向に３つ以上用いた場合でも、固定部材同士を結合するための加工やアンカーボルトによって設置場所に固定する固定作業を必要とせず、自動販売機を容易に固定することができる。
【発明を実施するための最良の形態】
【００１２】
図１乃至図３は本発明の一実施形態を示すもので、図１は本発明の一実施形態における自動販売機の正面図、図２は自動販売機の底面側の要部斜視図、図３は自動販売機の設置状態を示す要部斜視図である。
【００１３】
図１に示すように、自動販売機本体1の前面には外扉2が開閉自在に設けられており、外扉2の表面上部には化粧パネル3が設けられている。この化粧パネル3の内部には多数の商品サンプル4が展示されており、化粧パネル3の前面には各商品サンプル4に対応した商品選択ボタン5がそれぞれ配置されている。
【００１４】
また、外扉2の前面中央には、ロック操作レバー6、硬貨投入口7、返却レバー8、紙幣投入口9が設けられている。
【００１５】
ロック操作レバー6は外扉2内に設けられたロック機構（図示せず）を動作させるためのもので、専用キーによって解錠可能になっている。
【００１６】
また、外扉2の表面下部には、硬貨返却口10、商品取出口11が設けられており、商品取出口11には、手動により開放可能な開閉扉12が設けられている。
【００１７】
さらに、自動販売機本体1の底面の四隅には、それぞれ脚13が設けられており、各脚13は、ボルト14及び固定金具15によって転倒防止用のおもりとなる固定部材としてのコンクリートブロック16にそれぞれ固定されている。各コンクリートブロック16は、自動販売機本体1の前後方向にそれぞれ延びている。
【００１８】
図２に示すように、自動販売機本体1の底面の前後には、複数の脚取付部17が互いに幅方向に間隔をおいて設けられている。脚取付部17は脚13の数よりも多く設けられ、各脚13が脚取付部17にそれぞれ螺合されている。これにより、自動販売機本体1の幅方向一端側及び他端側にそれぞれ複数ずつ脚13を設けることができる。なお、自動販売機本体1の設置場所の傾斜、形状等に対応するため、脚13及び取付部17は高さ位置調整機能を備えている。
【００１９】
本実施形態では、前後の脚取付部17にそれぞれ左右２つずつ、すなわち合計８つの脚13が設けられている。これにより、脚13を固定するコンクリートブロック16の数を増加して、おもりとしての重量や安定性を増加させることができるとともに、コンクリートブロック16の１つあたりの奥行き、幅を小さくすることができ、コンクリートブロック16を自動販売機本体1からはみ出さずに設置することができる。
【００２０】
自動販売機本体1を設置場所に設置する際には、図３に示すように、自動販売機本体1に設けた各脚13の一部をそれぞれ固定金具15に係合させ、固定金具15にボルト14を挿入して、脚13とともに固定金具15をコンクリートブロック16に固定する。これにより、例えば地震等によって自動販売機本体1に加わった力が各脚取付部17及び脚13を介して各コンクリートブロック16にそれぞれ直接伝わる。
【００２１】
このように、本実施形態の自動販売機によれば、自動販売機本体1の前後方向に延びる複数のコンクリートブロック16の全てに脚13をそれぞれ固定することができるので、例えば地震等によって自動販売機本体1に加わった力が各脚取付部17及び脚13を介して全てのコンクリートブロック16にそれぞれ直接伝わり、全てのコンクリートブロック16がそれぞれおもりとしての機能を十分に果たすことができる。これにより、自動販売機本体1からはみ出さずにコンクリートブロック16の重量や安定性を増加させることができるので、自動販売機本体1の設置面積を増大させることがなく、自動販売機1を前後左右に並べて設置する場合に極めて有利である。
【００２２】
また、自動販売機本体1の底面に設けられた脚取付部17に自動販売機本体1の前後にそれぞれ幅方向に間隔をおいて４箇所ずつ脚13を取り付け、各脚13を複数のコンクリートブロック16に固定するようにしたので、コンクリートブロック16同士を結合するための加工やアンカーボルトによって設置場所に固定する固定作業を必要とせず、自動販売機を容易に固定することができる。
【００２３】
なお、前記実施形態では脚13を固定部材としてのコンクリートブロック16に固定するようにしたものを示したが、他の固定部材として鋼材や木材を用いることも可能である。
【００２４】
また、本発明の構成は、上述の実施形態にのみ限定されるものではなく、本発明の要旨を逸脱しない範囲内において種々変更を加えてもよい。
【図面の簡単な説明】
【００２５】
【図１】本発明の一実施形態における自動販売機の正面図
【図２】自動販売機の底面側を示す要部斜視図
【図３】自動販売機の設置状態を示す要部斜視図
【符号の説明】
【００２６】
1…自動販売機本体、13…脚、16…コンクリートブロック、17…脚取付部。
【図１】
2007026346.tif 000003
【図２】
2007026346.tif 000004
【図３】
2007026346.tif 000005